(57)【要約】      （修正有）【課題】空き缶の押し潰す位置を任意の位置に設定でき、立ち姿勢で空き缶押し潰し機を操作できる缶側面圧迫変形装置を提供する。【解決手段】結合部材１３，１４によって前後に結合され一体となっている前部圧縮プレート１と後部圧縮プレート２を設け、左側面圧迫詰め３と右側面圧迫詰め４を各１つずつ設ける。各圧迫爪にはそれぞれ可動溝９，１０が設けられており、ピン５，６を介して各圧縮プレートに支持されている。圧漬バー１１，１２はピン７，８によって各圧迫爪に支持されている。連結ピン１６，缶受板１５を設け、缶受板は空き缶押し潰し機本体構造材の一部に蝶番により連結されている。【選択図】図１
2005169491.tif 000002
【特許請求の範囲】
【請求項１】
前部圧縮プレート（１）と後部圧縮プレート（２）を設け、前部圧縮プレートと後部圧縮プレートは、左結合部材（１３）右結合部材（１４）によって前後に結合され一体となっている。
左側面圧迫爪（３）と右側面圧迫爪（４）を各一つずつ設ける。
爪戻しスプリング（１７）を設ける。
ピン１（５）、ピン２（６）、ピン３（７）、ピン４（８）を設ける。
この左側面圧迫爪と右側面圧迫爪にはそれぞれ可動溝１（９）可動溝２（１０）が切り抜いてあり、ピン１（５）とピン２（６）を介して、前部圧縮プレートと後部圧縮プレートに支持されている。
前部圧潰バー（１２）と後部圧潰バー（１１）を各一つずつ設ける。
前部圧潰バーと後部圧潰バーはピン３（７）とピン４（８）によって、左側面圧迫爪と右側面圧迫爪に支持されている。
連結ピン（１６）を設ける。
缶受板（１５）を設ける。
この缶受板（１５）は、空き缶押し潰し機本体構造材の一部ａ（１８）の後方部に位置している、もう一つの空き缶押し潰し機本体構造材の一部に、蝶番により連結されている、以上のような部分品から構成されている缶側面圧迫変形装置。
【請求項２】
上部左側結合部材（３６）、上部右側結合部材（３７）、下部結合部材（３８）、を設ける。
前部圧縮プレート（１）と後部圧縮プレート（２）を設け、前部圧縮プレートと後部圧縮プレートは、上部左側結合部材（３６）、上部右側結合部材（３７）、下部結合部材（３８）によって結合され前・後部圧縮プレートは一体となっている。
ピンａ（３２）、ピンｂ（３３）、ピンｃ（３４）、ピンｄ（３５）を設ける。
戻しバー（４１）を設ける。
圧潰バー（３０）を設ける。
圧潰バーには作動用切込ｃ（２８）、作動用切込ｄ（２９）を切り抜いてある。
圧潰バーは、ピンｃ（３４）、ピンｄ（３５）によって前部圧縮プレートと後部圧縮プレートに支持されている。
圧潰プレート（３１）を設ける。これは圧潰バー（３０）に固着してある。
左側面圧迫爪Ａ（２２）と右側面圧迫爪Ｂ（２３）を各一個ずつ設ける。
この左側面圧迫爪Ａ（２２）と右側面圧迫爪Ｂ（２３）には、それぞれ作動用切込ａ（２６）、作動用切込ｂ（２７）が切り抜いてある。
左側面圧迫爪Ａ（２２）と右側面圧迫爪Ｂ（２３）は、ピンａ（３２）とピンｂ（３３）を介して、前部圧縮プレートと後部圧縮プレートに支持されている。
爪戻しスプリングａ（３９）、爪戻しスプリングｂ（４０）を設ける。
左作動駒（２４）、右作動駒（２５）を各一個ずつ設ける。
左側面圧迫爪Ａ（２２）の作動用切込ａ（２６）と圧潰バーの作動用切込ｃ（２８）の間には、左作動駒（２４）が嵌め込まれており、右側面圧迫爪Ｂ（２３）の作動用切込ｂ（２７）と、圧潰バーの作動用切込ｄ（２９）の間には、右作動駒（２５）が嵌め込まれている、そして圧潰プレート（３１）と固着している圧潰バー（３０）の動きが左側面圧迫爪Ａ（２２）と右側面圧迫爪Ｂ（２３）に伝わるよう連接している。
缶受板（１５）を設ける。
缶受板（１５）は、空き缶押し潰し機本体構造材の一部ａ（１８）の後方部に位置している、もう一つの空き缶押し潰し機本体構造材の一部に、蝶番により連結されている、以上のような部分品から構成されている缶側面圧迫変形装置。
【発明の詳細な説明】
【技術分野】
【０００１】  本発明は、空き缶を押し潰す時、缶の強度を減じさせるための缶側面圧迫変形装置に関する。
【背景技術】
【０００２】  現在ある空き缶押し潰し機は、押し潰す位置が床付近にあるものばかりであった。
【発明が解決しようとする課題】
【０００３】  そのため、空き缶を所定位置に設定し、空き缶を押し潰し、空き缶を取出すという一連の動作をするために、腰を折り曲げる動作を繰り返さなければならなかった、押し潰す空き缶の設定位置が、より上方の位置にあれば、そのために腰等に負担が掛かると言うことはない。
【課題を解決するための手段】
【０００４】  前部圧縮プレート（１）と後部圧縮プレート（２）を設け、前部圧縮プレートと後部圧縮プレートは、左結合部材（１３）右結合部材（１４）によって前後に結合され一体となっている。（この結合体は他の部品が組み込まれる母体ともなる）
左側面圧迫爪（３）と右側面圧迫爪（４）を各一つずつ設け、爪戻しスプリング（１７）を設ける、ピン１（５）、ピン２（６）、ピン３（７）、ピン４（８）を設ける。
この左側面圧迫爪と右側面圧迫爪にはそれぞれ可動溝１（９）可動溝２（１０）が切り抜いてあり、ピン１（５）とピン２（６）を介して、前部圧縮プレートと後部圧縮プレートに支持されている。（この左右側面圧迫爪が空き缶の側面を直接接触押し付けて変形させる）
前部圧潰バー（１２）と後部圧潰バー（１１）を各一つずつ設ける。
前部圧潰バーと後部圧潰バーはピン３（７）とピン４（８）によって、左側面圧迫爪と右側面圧迫爪に支持されている。この前部・後部圧潰バーが缶の上端部を感知し左右側面圧迫爪の圧迫動作を開始させ、続いて缶の押し潰し動作を開始させる、そして押し潰し終わってペダルを離すと、諸々の作動部品が組み込まれている前部圧縮プレートと後部圧縮プレートの結合体は、上方に上がって行き最上部に達する手前で缶受板（１５）を上方へ押し上げ、押し潰された空缶を跳ね上げ後部圧縮プレートから本体後方へ排出する。
この空き缶の強度を減らし、小さな力でも潰れるようにすれば、缶側面圧迫変形装置の構造体に強度の高い部材を使わなくてもすむので、部材の選択調達が容易である、と同時に空き缶設定位置を、より上方へ移動させる事が出来るようになった、これで当初の目的であった空き缶の設定位置が固定されず、任意の位置を選べるという事が可能になった。
【実施例１】
【０００５】  本発明の実施例を（図１）（図５）によって説明する。
缶側面圧迫変形装置を、空き缶押し潰し機の上部に設置し下部のペダル（４２）を踏むと、その力と移動方向は連結棒によって連結されている、缶側面圧迫変形装置に伝わる、缶を押し潰す一連の動作は、この缶側面圧迫変形装置が移動する事によって開始され、完了する。
この実施例の場合、缶側面圧迫変形装置が下方へ移動するものとして説明する。
まず、空き缶を缶側面圧迫変形装置の中、缶受板（１５）と前部・後部圧潰バー（１２）（１１）の間にセットする、ペダルを踏む事により缶側面圧迫変形装置は下方へ移動し始め、前部・後部圧潰バー（１２）（１１）が空き缶上端部に接触し上端部であることを感知する、空き缶上端部を感知すると左缶側面圧迫爪（３）、右缶側面圧迫爪（４）が左右から押出して来て、空き缶の側面に直接接触押付けて変形させ強度を減じさせ、その動作と同時に強度の落ちた空き缶をそのまま押し潰していく。
【実施例２】
【０００６】  本発明の実施例を（図３）（図５）によって説明する。
実施例１、と同じく缶を押し潰す一連の動作は、この缶側面圧迫変形装置が移動する事によって開始され、完了する。
まず、空き缶を缶側面圧迫変形装置の中、缶受板（１５）と圧潰プレート（３１）の間にセットする、ペダルを踏む事により缶側面圧迫変形装置は下方へ移動し始め、圧潰プレート（３１）が空き缶上端部に接触し上端部であることを感知する、空き缶上端部を感知すると左缶側面圧迫爪Ａ（２２）、右缶側面圧迫爪Ｂ（２３）が左右から押出して来て、空き缶の側面に直接接触押付けて変形させ強度を減じさせる、そのあと左缶側面圧迫爪Ａ（２２）、右缶側面圧迫爪Ｂ（２３）は、前部圧縮プレート（１）、後部圧縮プレート（２）の間に戻り格納され、続けて強度の落ちた空き缶をそのまま押し潰していく。
【発明の効果】
【０００７】  本発明の缶側面圧迫変形装置を設けた空き缶押し潰し機は、立ったまゝの楽な姿勢で、連続して空き缶を押し潰す事が出来た、そのため腰等に掛かる無理な負担もなくなり、その上、空き缶は縦方向に押し潰されるため、押し潰された空き缶の形は、断面積が小さくコンパクトな形状になり、そして全体の容積も小さく、その後の片付け運搬作業等も容易でかつ効果的になった。
【図面の簡単な説明】
【図１】本発明の、缶側面圧迫変形装置の前方から見た斜視図。
【図２】本発明の、缶側面圧迫変形装置の正面図。
【図３】本発明、請求項２の缶側面圧迫変形装置の前方から見た斜視図。
【図４】本発明、請求項２の缶側面圧迫変形装置の正面図。
【図５】本発明の、缶側面圧迫変形装置を設けた空き缶押し潰し機の側面図。
【符号の説明】
１    前部圧縮プレート
２    後部圧縮プレート
３    左缶側面圧迫爪
４    右缶側面圧迫爪
５    ピン１
６    ピン２
７    ピン３
８    ピン４
９    可動溝ａ
１０  可動溝ｂ
１１  後部圧潰バー
１２  前部圧潰バー
１３  左結合部材
１４  右結合部材
１５  缶受板
１６  連結ピン
１７  爪戻しスプリング
１８  空き缶押し潰し機本体構造材の一部ａ
１９  空き缶押し潰し機本体構造材の一部ｂ
２０  空き缶押し潰し機本体構造材の一部ｃ
２１  空き缶押し潰し機本体構造材の一部ｄ
２２  左缶側面圧迫爪Ａ
２３  右缶側面圧迫爪Ｂ
２４  左作動駒
２５  右作動駒
２６  作動用切込ａ
２７  作動用切込ｂ
２８  作動用切込ｃ
２９  作動用切込ｄ
３０  圧潰バー
３１  圧潰プレート
３２  ピンａ
３３  ピンｂ
３４  ピンｃ
３５  ピンｄ
３６  上部左側結合部材
３７  上部右側結合部材
３８  下部結合部材
３９  爪戻しスプリングａ
４０  爪戻しスプリングｂ
４１  戻しバー
４２  踏込みペダル
４３  連結棒
４４  缶側面圧迫変形装置
４５  空き缶押し潰し機
【図１】
2005169491.tif 000003
【図２】
2005169491.tif 000004
【図３】
2005169491.tif 000005
【図４】
2005169491.tif 000006
【図５】
2005169491.tif 000007